(57)【要約】【課題】採尿器に尿を迅速に溜めることが可能であり、採尿器の内部の尿を排泄直後の新鮮な尿に置換することが可能な尿温測定装置を提供することを目的とする。【解決手段】採尿口を有し、尿を採集する採尿容器と、前記採尿容器の内部に設けられ、前記採尿容器の内部に貯留された尿の温度を温度検出素子により測定する温度検出部と、を備え、前記採尿容器の底部には内部と外部とを連通するスリットが設けられ、前記温度検出部が尿に浸されるまでは、前記採尿容器の内部に貯留された尿の前記スリットからの排出を抑制して前記採尿容器の内部に尿を貯留し、前記温度検出部が尿に浸されると、前記採尿容器の内部に貯留された尿を前記スリットから排出させて前記採尿容器の内部の尿を新鮮な尿に置換させることを促進させることを特徴とする尿温測定装置が提供される。【選択図】図３
2010048704.tif 000002
【特許請求の範囲】
【請求項１】
採尿口を有し、尿を採集する採尿容器と、
前記採尿容器の内部に設けられ、前記採尿容器の内部に貯留された尿の温度を温度検出素子により測定する温度検出部と、
を備え、
前記採尿容器の底部には内部と外部とを連通するスリットが設けられ、
前記温度検出部が尿に浸されるまでは、前記採尿容器の内部に貯留された尿の前記スリットからの排出を抑制して前記採尿容器の内部に尿を貯留し、
前記温度検出部が尿に浸されると、前記採尿容器の内部に貯留された尿を前記スリットから排出させて前記採尿容器の内部の尿を新鮮な尿に置換させることを促進させることを特徴とする尿温測定装置。
【請求項２】
前記スリットのうちの、前記採尿容器の内部に貯留された尿の液面よりも上の部分を通して、前記採尿容器の外部から前記採尿容器の内部に空気を導入可能としたことを特徴とする請求項１記載の尿温測定装置。
【請求項３】
前記採尿容器は、複数の部材を有し、
前記複数の部材のうちのいずれかは、前記採尿口を有する上部部材であり、
前記複数の部材のうちの他の部材の少なくともいずれかは、前記上部部材と分割可能とされたことを特徴とする請求項１または２に記載の尿温測定装置。
【請求項４】
前記上部部材と前記他の部材の少なくともいずれかとを当接させた際に形成される隙間を通して、前記採尿容器の外部から前記採尿容器の内部に空気を導入可能としたことを特徴とする請求項３記載の尿温測定装置。
【請求項５】
前記他の部材は、
前記採尿容器の底部を形成する底部部材と、
前記温度検出部が取り付けられた側壁部材と、
を有し、
前記上部部材と前記底部部材とは、ヒンジ結合され、
前記底部部材と前記側壁部材とは、ヒンジ結合され、
前記上部部材の一部が前記側壁部材の一部に係合することにより、前記複数の部材が一体化されることを特徴とする請求項３または４に記載の尿温測定装置。
【請求項６】
前記スリットは、前記底部部材と前記側壁部材とを当接させた際に形成される隙間であることを特徴とする請求項５記載の尿温測定装置。
【発明の詳細な説明】
【技術分野】
【０００１】
本発明の態様は、一般的に、尿温測定装置に関し、具体的には放尿された尿を受尿して尿温を測定することができる尿温測定装置に関する。
【背景技術】
【０００２】
短時間で体温を精度良く測定するために、体内から排泄された尿の温度を測定する装置がある。例えば、便器の便鉢空間（ボウル内）において採尿器で尿を採集し、採尿器の内部に設けたサーミスタ等の感温素子で形成された感温部によって、その尿の温度を測定する装置がある（特許文献１）。特許文献１に記載された装置では、貫通孔が採尿器に設けられ、採集した尿の流路が採尿器に形成されたことにより、被験者の排泄する新鮮な尿が感温部の周囲に絶えず供給される。これによれば、被験者の排泄した尿が外気や受尿器に接触して放熱することによる感温部の検知温度への影響量を少なくできる。
【０００３】
また、尿貯留部で採尿した尿を尿貯留部に溜めながらも、排出孔を通して古い尿を新しい尿に置換しつつ尿温を検出する装置がある（特許文献２）。特許文献２に記載された装置では、古い尿は排出され、新しい尿が供給されるため、便器や尿貯留部のカバー部によって尿が冷えることを抑制できる。
【０００４】
しかしながら、特許文献１および２に記載された装置では、貫通孔や排出孔が大きく開けられているため、排泄された尿の尿流率（単位時間当たりに流れる尿の流量）が小さいときには、採尿器や尿貯留部に尿が溜まりにくい。そのため、温度検出部が尿に浸されるまでに時間がかかり、排尿中に温度検出部が尿に浸されず、尿温を正しく測定できないおそれがある。
【特許文献１】特開２００８−８９５２０号公報
【特許文献２】特開昭６３−１７１９３３号公報
【発明の開示】
【発明が解決しようとする課題】
【０００５】
本発明は、かかる課題の認識に基づいてなされたものであり、採尿器に尿を迅速に溜めることが可能であり、採尿器の内部の尿を排泄直後の新鮮な尿に置換することが可能な尿温測定装置を提供することを目的とする。
【課題を解決するための手段】
【０００６】
第１の発明は、採尿口を有し、尿を採集する採尿容器と、前記採尿容器の内部に設けられ、前記採尿容器の内部に貯留された尿の温度を温度検出素子により測定する温度検出部と、を備え、前記採尿容器の底部には内部と外部とを連通するスリットが設けられ、前記温度検出部が尿に浸されるまでは、前記採尿容器の内部に貯留された尿の前記スリットからの排出を抑制して前記採尿容器の内部に尿を貯留し、前記温度検出部が尿に浸されると、前記採尿容器の内部に貯留された尿を前記スリットから排出させて前記採尿容器の内部の尿を新鮮な尿に置換させることを促進させることを特徴とする尿温測定装置である。  
この尿温測定装置によれば、温度検出部が尿に浸されるまではスリットからの尿の漏れを抑制できるため、温度検出部を迅速に尿で浸すことができる。また、尿温検出の応答性を向上させることができ、迅速な尿温測定が可能となる。さらに、スリットから尿の排出が開始されれば排出量が増加するため、採尿部内の尿を新鮮な尿へ置換することが促進される。
【０００７】
また、第２の発明は、第１の発明において、前記スリットのうちの、前記採尿容器の内部に貯留された尿の液面よりも上の部分を通して、前記採尿容器の外部から前記採尿容器の内部に空気を導入可能としたことを特徴とする尿温測定装置である。  
この尿温測定装置によれば、採尿口に設けられた網体が尿の表面張力により目詰まり状態になっても、採尿部の内部に貯留された尿の液面よりも上のスリットを通して空気が導入される。そのため、採尿部内の尿の排出が促進され、新しい尿の導入が促進されるため、尿部の内部の尿の置換をより確実に行うことができる。
【０００８】
また、第３の発明は、第１または第２の発明において、前記採尿容器は、複数の部材を有し、前記複数の部材のうちのいずれかは、前記採尿口を有する上部部材であり、前記複数の部材のうちの他の部材の少なくともいずれかは、前記上部部材と分割可能とされたことを特徴とする尿温測定装置である。  
この尿温測定装置によれば、採尿部の上部が開放されるため、温度検出部のクリーニングを容易に行うことができ、尿石の除去作業を行いやすい。
【０００９】
また、第４の発明は、第３の発明において、前記上部部材と前記他の部材の少なくともいずれかとを当接させた際に形成される隙間を通して、前記採尿容器の外部から前記採尿容器の内部に空気を導入可能としたことを特徴とする尿温測定装置である。  
この尿温測定装置によれば、採尿口に設けられた網体が尿の表面張力により目詰まり状態になっても、上部部材と他の部材との間の隙間を通して空気が導入される。そのため、採尿部内の尿の排出が促進され、新しい尿の導入が促進されるため、尿部の内部の尿の置換をより確実に行うことができる。
【００１０】
また、第５の発明は、第３または第４の発明において、前記他の部材は、前記採尿容器の底部を形成する底部部材と、前記温度検出部が取り付けられた側壁部材と、を有し、前記上部部材と前記底部部材とは、ヒンジ結合され、前記底部部材と前記側壁部材とは、ヒンジ結合され、前記上部部材の一部が前記側壁部材の一部に係合することにより、前記複数の部材が一体化されることを特徴とする尿温測定装置である。  
この尿温測定装置によれば、複数の部材を分割可能にしたため、温度検出部の全周が開放される。そのため、温度検出部やスリットにこびり付いた尿石等の異物を部材を分割した状態で除去することができ、清掃性が向上する。
【００１１】
第６の発明は、第５の発明において、前記スリットは、前記底部部材と前記側壁部材とを当接させた際に形成される隙間であることを特徴とする尿温測定装置である。  
この尿温測定装置によれば、スリット部分を境にして複数の部材が分割されるため、スリットに付着した尿石の除去を行いやすい。
【発明の効果】
【００１２】
本発明の態様によれば、採尿器に尿を迅速に溜めることが可能であり、採尿器の内部の尿を排泄直後の新鮮な尿に置換することが可能な尿温測定装置が提供される。
【発明を実施するための最良の形態】
【００１３】
以下、本発明の実施の形態について図面を参照しつつ説明する。なお、各図面中、同様の構成要素には同一の符号を付して詳細な説明は適宜省略する。  
図１は、本発明の第１の実施の形態にかかる尿温測定装置が設置されたトイレ室を例示する模式図である。
【００１４】
本実施形態にかかる尿温測定装置は、例えば側壁１０ａなどに隣接したライニング１２の内部に設けられた尿温測定部１００と、使用者が放尿した尿を受尿して採集する採尿容器１２０と、スイングアーム１４２を介して採尿容器１２０を回動させるスイングアーム駆動部１４０と、を備えている。尿温測定部１００は制御部１１０を有しており、その制御部１１０は温度検出部１２１（図２参照）で検知した尿の温度（尿温）などを配線１４４を介して受信し、例えば側壁１０ｂなどに設けられた表示部１６に信号を送信して尿温などを表示させることができる。
【００１５】
また、制御部１１０は、スイングアーム駆動部１４０を駆動してスイングアーム１４２を回動させ、スイングアーム１４２の一端に設けられた採尿容器１２０を洋式腰掛便器１４のボウル１４ａ内に移動させることができる。なお、図１に表した採尿容器１２０は、受尿位置にある状態を表している。一方、使用者が尿温測定装置を使用しない場合には、制御部１１０はスイングアーム駆動部１４０を駆動してスイングアーム１４２を回動させ、採尿容器１２０を図示しない収納部に収納できる。そのため、使用者が尿温測定装置を使用しない場合に、採尿容器１２０が用便の邪魔になることはない。
【００１６】
図２は、本実施形態の採尿容器を斜め上方から眺めた斜視模式図である。  
また、図３は、本実施形態の採尿容器を斜め下方から眺めた斜視模式図である。  
また、図４は、本実施形態の採尿容器を分解して斜め上方から眺めた分解模式図である。
【００１７】
採尿容器１２０は、受尿して採集した尿を一時的に貯留する底部部材１２４と、温度検出部１２１と発光部１２２とを保持する側壁部材１２６と、採尿容器１２０の内部に尿を取り込む採尿口１２７ｃが設けられた上部部材１２７と、を有する。側壁部材１２６は、温度検出部１２１などを保持するとともに、底部部材１２４と同様に、尿を一時的に貯留する貯尿部１２９の少なくとも一部を形成している。すなわち、使用者が排泄した尿は、底部部材１２４と側壁部材１２６とで形成された空間（貯尿部１２９）に一時的に貯留される。そして、温度検出部１２１は貯尿部１２９に貯留された尿の温度を検出できる。
【００１８】
採尿容器１２０の内部には、図示しない温度検出素子により尿の温度を測定する温度検出部１２１と、底部部材１２４の内部を照射する発光部１２２と、が設けられている。温度検出部１２１は、貯尿部１２９に溜まった尿の温度を測定し、配線１４４を介して制御部１１０に測定結果を出力する。発光部１２２は、底部部材１２４の内部を明るく照射することで、採尿容器１２０を見やすくして尿を当てやすくすることができる。なお、図２に表したように、底部部材１２４に溜まった尿を吸引する吸尿部１２３を設け、図示しない搬送管を通して尿糖測定部に尿を搬送して、使用者が排泄した尿の尿糖を測定できるようにしてもよい。
【００１９】
底部部材１２４と側壁部材１２６と上部部材１２７とは別体として設けられているため、図４に表したように、それぞれを分割することができる。そのため、採尿容器１２０の内部に付着した尿石などを容易に除去することができる。
【００２０】
そして、側壁部材１２６は、ヒンジ部１２６ａにおいて底部部材１２４に対して回動自在に軸支されている。そのため、ヒンジ部１２６ａを中心に側壁部材１２６を回動させて、底部部材１２４に当接させた状態では、図３に表したように、底部部材１２４と側壁部材１２６との間において採尿容器１２０の内部と外部とを連通するスリット１３１が、その採尿容器１２０の底部（下部）に形成される。スリット１３１は、採尿容器１２０の底部から上部部材１２７にかけて延在している。
【００２１】
上部部材１２７は、ヒンジ部１２７ａにおいて底部部材１２４に対して回動自在に軸支されている。ヒンジ部１２７ａを中心に上部部材１２７を回動させて、上部部材１２７が有する係合孔１２７ｂを側壁部材１２６が有する突起部１２６ｂに係合させることにより、図２および図３に表したように、底部部材１２４と側壁部材１２６と上部部材１２７とを相対的に固定し一体化させることができる。そのため、ヒンジ部１２７ａを中心に上部部材１２７を回動させて、係合孔１２７ｂを突起部１２６ｂに係合させた状態では、図３に表したように、底部部材１２４と上部部材１２７との間、および側壁部材１２６と上部部材１２７との間において採尿容器１２０の内部と外部とを連通するスリット（隙間）１３３が、その採尿容器１２０の上部に形成される。スリット１３３は、上部部材１２７の周縁に略沿うように周状に延在している。
【００２２】
採尿容器１２０の内部に尿を取り込む採尿口１２７ｃには、網体（メッシュ）１２８が設けられている。網体１２８は、採尿容器１２０の内部に取り込まれた尿が飛び跳ねて採尿容器１２０の外部に逃げることを防止したり、使用者から排泄された尿を採尿容器１２０が受尿したときの尿の泡立ちを防止したりする。なお、図２および図４に表した網体１２８は、採尿口１２７ｃに設けられた一部を表している。
【００２３】
温度検出部１２１は、例えばサーミスタである。サーミスタは、金属製の保護管の内部の先端に図示しない温度検出素子を内蔵した構造を有する。そして、被温度測定物（尿）の温度が保護管に伝達され、保護管に内蔵された温度検出素子は、その伝達された温度を検出する。サーミスタの保護管は金属製であり、径が小さいため、温度検出素子への温度（熱）の伝達速度は速く、温度変化に対する応答速度も速い。
【００２４】
一方、サーミスタの保護管は金属製であるため、温度検出素子へ熱を伝えやすいとともに、外部へ放熱しやすい。そのため、温度検出部１２１に接触している外気や側壁部材１２６などを介して、採尿容器１２０の外部に尿の熱が放熱されやすい。これにより、貯尿部１２９に溜められた尿は冷めてしまい、尿温（体温）を精度良く測定できないおそれがある。
【００２５】
これに対して、採尿容器１２０に貫通孔を設け、その貫通孔を通して古い尿を新しい尿に置換して、貯尿部１２９に溜められた尿が冷めないようにすることも可能である。しかしながら、使用者から排泄された尿の尿流率（単位時間当たりに流れる尿の流量）が小さい場合には、尿温測定を行うために十分な尿が貯尿部１２９に溜まらないおそれがある。サーミスタが尿に浸らない場合には、精度良く尿温を測定することができない。
【００２６】
一方、尿流率が小さい場合でも十分な尿が貯尿部１２９に溜まるように貫通孔の径を小さくすると、尿の表面張力によって尿が十分に排出されず、古い尿を新しい尿に置換できないおそれがある。すなわち、貫通孔を設けて尿を置換すると、径が小さい場合には尿を置換できず、尿を置換できるほどに径が大きい場合には十分な尿が貯尿部１２９に溜まらないおそれがある。
【００２７】
そこで、本実施形態にかかる尿温測定装置は、前述したように、底部部材１２４と側壁部材１２６との間において採尿容器１２０の内部と外部とを連通するスリット１３１が、その採尿容器１２０の底部に設けられている。スリット１３１は、図３に表したように、採尿容器１２０の底部から上部部材１２７にかけて延在しており、細い隙間（細隙）の形状を有している。そのため、本実施形態にかかる尿温測定装置は、採尿容器１２０に尿を迅速に溜めることが可能であり、採尿容器１２０の内部の尿を排泄直後の新鮮な尿に置換することが可能である。以下、この作用の詳細について、図面を参照しつつ説明する。
【００２８】
図５は、温度検出部が尿に浸された直後の採尿容器の内部を例示する断面模式図である。
また、図６は、図５に表した採尿容器のスリット近傍を拡大して表した拡大模式図である。  
なお、図５は、図２に表したＡ−Ａ断面図に相当する。
【００２９】
使用者が排泄した尿は、採尿口１２７ｃに設けられた網体１２８を通って、底部部材１２４と側壁部材１２６とで形成された貯尿部１２９に一時的に貯留される。ここで、スリット１３１は、図６に表したように、幅が狭い細隙形状を有しており、底部部材１２４と側壁部材１２６との一部が上下方向に重複した鉤形を有している。そのため、採尿容器１２０の底部からスリット１３１を通して、貯尿部１２９を直視することはできない。
【００３０】
そして、スリット１３１は細隙形状および鉤形を有しているため、貯尿部１２９に貯留された尿１６０はスリット１３１を通過し難い。また、尿１６０には表面張力が作用するため、同様に尿１６０はスリット１３１を通過し難い。すなわち、貯尿部１２９に貯留された尿１６０は、スリット１３１が細隙形状を有することと、尿１６０に表面張力が作用することと、によりスリット１３１から抵抗を受けて排出され難い。
【００３１】
そのため、図５に表したように、温度検出部１２１が尿１６０に浸されるまでは、貯尿部１２９に貯留された尿１６０はスリット１３１から採尿容器１２０の外部に排出されない。これにより、本実施形態にかかる尿温測定装置は、採尿容器１２０に尿を迅速に溜めることができる。そして、使用者から排泄された尿の尿流率が小さい場合であっても、尿温測定を行うために十分な尿を貯尿部１２９に貯留することができる。その結果、より短時間で精度良く尿温を測定することができる。
【００３２】
図７は、採尿容器の内部に尿が満たされた状態を例示する断面模式図である。  
また、図８は、図７に表した採尿容器のスリット近傍を拡大して表した拡大模式図である。  
なお、図７は、図２に表したＡ−Ａ断面図に相当する。
【００３３】
温度検出部１２１が尿１６０に浸された直後の状態（図５参照）から、さらに尿１６０が採尿容器１２０の内部に供給されると、尿１６０はスリット１３１から抵抗を受けているため排出されないまま、採尿容器１２０の内部（貯尿部１２９）は、図７に表したように尿１６０で満たされる。この状態では、温度検出部１２１が尿１６０に浸された直後の状態（図５参照）よりも大きな圧力（水圧）が、採尿容器１２０の内部から外部に向かってスリット１３１にかかっている。
【００３４】
そして、スリット１３１において、尿１６０の水圧による荷重が表面張力などの抵抗力よりも大きくなると、図７および図８に表した矢印Ｃのように、尿１６０はスリット１３１を通って採尿容器１２０の底部から排出される。このように、本実施形態にかかる尿温測定装置では、温度検出部１２１が尿１６０に浸された状態で、尿１６０の水圧による荷重が表面張力などの抵抗力よりも大きくなるように、スリット１３１の幅が適宜設定されている。つまり、温度検出部１２１が尿１６０に浸されると、貯尿部１２９に貯留された尿１６０はスリット１３１を通って採尿容器１２０の底部から排出される。このスリット１３１の幅は、例えば約０．２〜０．３ミリメートル程度である。
【００３５】
貯尿部１２９に貯留された尿がスリット１３１を通って採尿容器１２０の底部から排出されると、尿１６０の水位は下がり、排泄直後の新鮮な尿が供給される。そのため、採尿容器１２０内の温度検出部１２１の周囲では、古い尿が排泄直後の新鮮な尿に置換される。このように、採尿容器１２０の内部において尿１６０が循環されることにより、貯尿部１２９に溜められた尿が冷めないようにすることが可能であり、精度良く尿温を測定することができる。
【００３６】
また、図７に表した矢印ＡおよびＢのように採尿容器１２０の上部から排出される尿は、網体１２８を介して流入する新鮮な尿によりその排出を妨げられる。そのため、採尿容器１２０の上部から排出される尿の量は、スリット１３１を通って採尿容器１２０の底部から排出される尿の量よりも少ない。そのため、採尿容器１２０の内部の尿１６０は、スリット１３１からより多く排出されることにより、採尿容器１２０の上部から流入する新鮮な尿に効率よく置換される。
【００３７】
本実施形態の採尿容器１２０には、図２〜図４に関して前述したように、底部部材１２４と上部部材１２７との間、および側壁部材１２６と上部部材１２７との間において採尿容器１２０の内部と外部とを連通するスリット１３３が、上部部材１２７の周縁に略沿うように周状に延在している。そのため、採尿容器１２０の内部に尿１６０が満たされ、尿１６０の表面張力により採尿口１２７ｃに設けられた網体１２８が目詰まり状態になっても、スリット１３３から採尿容器１２０の内部に空気を導入できる。したがって、貯尿部１２９に貯留された尿１６０の排出が促進され、新しい尿の導入が促進されるため、採尿容器１２０の内部の尿の置換（循環）をより確実に行うことができる。
【００３８】
さらに、本実施形態の採尿容器１２０には、図２〜図４に関して前述したように、底部部材１２４と側壁部材１２６との間において採尿容器１２０の内部と外部とを連通するスリット１３１が、採尿容器１２０の底部から上部部材１２７にかけて延在している。そのため、貯尿部１２９に貯留された尿１６０の液面よりも上の採尿容器１２０内の空間は、スリット１３１を介して採尿容器１２０外に連通している。したがって、採尿口１２７ｃに設けられた網体１２８が表面張力により付着した尿によって目詰まり状態になっても、貯尿部１２９に貯留された尿１６０の液面よりも上の部分のスリット１３１から採尿容器１２０の内部に空気を導入できる。これにより、前述したように、貯尿部１２９に貯留された尿１６０の排出が促進され、新しい尿の導入が促進されるため、採尿容器１２０の内部の尿の置換（循環）をより確実に行うことができる。
【００３９】
なお、使用者の放尿が終了し、新しい尿が網体１２８を介して採尿容器１２０の内部に供給されなくなると、その内部の尿１６０の水位は下がり、スリット１３１において、尿１６０の水圧による荷重が表面張力などの抵抗力よりも小さくなる。そのため、採尿容器１２０が受尿位置にある状態では、尿１６０は完全には採尿容器１２０の外部に排出されない。これに対して、採尿容器１２０が図示しない収納部に収納された状態では、採尿口１２７ｃは下に向かって開口するため、採尿容器１２０の内部に残った尿１６０は採尿口１７２から排出される。なお、採尿容器１２０の内部に吸尿部１２３が設けられている場合には、その吸尿部１２３を介して採尿容器１２０の内部に残った尿１６０を吸い込み排出することもできる。
【００４０】
図９は、本実施形態の変形例にかかる採尿容器を例示する模式図である。  
また、図１０は、本変形例にかかる採尿容器の内部を例示する断面模式図である。  
なお、図９は、図２に表したＡ−Ａ断面図に相当する。
【００４１】
本変形例にかかる採尿容器１７０は、図２〜図４に表した採尿容器１２０のようには、底部部材１２４と側壁部材１２６とは別体として設けられていない。すなわち、本変形例にかかる採尿容器１７０は、底部部材と側壁部材とが一体化された底部部材１７４を有する。そして、底部部材１７４の底部には、採尿容器１２０の内部と外部とを連通するスリット１８１が設けられている。スリット１８１は、採尿容器１２０の底部から上部部材１２７に向かう途中にかけて延在している。
【００４２】
上部部材１２７は、図２〜図４に表した採尿容器１２０と同様に、ヒンジ部１２７ａにおいて底部部材１７４に対して回動自在に軸支されている。ヒンジ部１２７ａを中心に上部部材１２７を回動させて、上部部材１２７が有する係合孔１２７ｂを底部部材１７４が有する突起部１７４ｂに係合させることにより、底部部材１７４と上部部材１２７とを相対的に固定し一体化させることができる。その他の構造については、図２〜図４に表した採尿容器１２０と同様である。
【００４３】
スリット１８１は、図１０に表したように、幅が狭い細隙形状を有しており、略直線形を有している。そのため、採尿容器１２０の底部からスリット１８１を通して、貯尿部１２９を直視することができる。このスリット１８１の幅は、例えば約０．２〜０．３ミリメートル程度である。この場合であっても、貯尿部１２９に貯留された尿１６０は、スリット１８１が細隙形状を有することと、尿１６０に表面張力が作用することと、によりスリット１８１から抵抗を受けて排出され難い。そのため、図５〜図８に関して前述した作用と同様の作用が生じ、同様の効果を得ることができる。
【００４４】
また、底部部材１７４と上部部材１２７との間、側壁部材１２６と上部部材１２７との間において採尿容器１７０の内部と外部とを連通するスリット１３３が、上部部材１２７の周縁に略沿うように周状に延在している。そのため、採尿容器１７０の内部に尿が満たされ、尿の表面張力により採尿口に設けられた網体が目詰まり状態になっても、スリット１３３から採尿容器１７０の内部に空気を導入できる。したがって、図７および図８に関して前述した効果と同様の効果を得ることができる。
【００４５】
さらに、本変形例にかかる採尿容器１７０は、底部部材と側壁部材とが一体化された底部部材１７４を有するため、採尿容器１７０全体としてより大きな強度を得ることができる。また、図４に表したヒンジ部１２６ａを設ける必要がないため、採尿容器１７０の構造をより簡略化でき、採尿容器１７０を小型化することもできる。
【００４６】
以上説明したように、本実施形態によれば、採尿容器１２０の底部に細隙形状のスリット１３１が設けられている。そのため、採尿容器１２０に尿を迅速に溜めることが可能であり、採尿容器１２０の内部の尿を排泄直後の新鮮な尿に置換することが可能である。また、図９および図１０に表した変形例のように、底部部材と側壁部材とが一体化された底部部材１７４に細隙形状のスリット１８１が設けられていることによっても、同様の効果を得ることができる。これらによれば、より短時間で精度良く尿温を測定することができる。
【００４７】
次に、本発明の第２の実施の形態について説明する。  
図１１は、本発明の第２の実施の形態にかかる尿温測定装置を例示する模式図である。  また、図１２は、本実施形態の変形例にかかる尿温測定装置を例示する模式図である。  本実施形態にかかる尿温測定装置は、使用者が持ち運び可能な装置である。すなわち、携帯できる尿温測定装置である。これによれば、本実施形態にかかる尿温測定装置を携帯することで、外出先などでも使用者の尿温（体温）を測定することができる。
【００４８】
図１１に表した尿温測定装置は、表示部３１６と、「入／切」スイッチ３１７と、「体温」スイッチ３１８と、スピーカ３１５と、を有する尿温測定部３００と、使用者が放尿した尿を受尿して採集する採尿容器３２０と、尿温測定部３００と採尿容器３２０とを連結し、使用者が把持可能な把持部３４０と、を備えている。尿温測定部３００は制御部３１０をさらに有しており、その制御部１１０は温度検出部１２１で検知した尿の温度（尿温）を配線３４４を介して受信し、表示部３１６にその尿温を表示させることができる。
【００４９】
採尿容器３２０は、図１１に表したように、受尿して採集した尿を一時的に貯留する底部部材３２４と、温度検出部３２１と発光部３２２とを保持する側壁部材３２６と、採尿容器１２０の内部に尿を取り込む採尿口３２７ｃが設けられた上部部材３２７と、を有する。但し、図９および図１０に表した変形例のように、底部部材３２４と側壁部材３２６とは、一体として設けられていてもよい。そして、側壁部材３２６は、温度検出部３２１などを保持するとともに、底部部材３２４と同様に、尿を一時的に貯留する貯尿部３２９の少なくとも一部を形成している。すなわち、使用者が排泄した尿は、底部部材３２４と側壁部材３２６とで形成された空間（貯尿部３２９）に一時的に貯留される。採尿口３２７ｃには、網体（メッシュ）３２８が設けられている。
【００５０】
採尿容器３２０の内部には、図示しない温度検出素子により尿の温度を測定する温度検出部３２１と、底部部材３２４の内部を照射する発光部３２２と、が設けられている。温度検出部３２１は、底部部材３２４と側壁部材３２６とで形成された貯尿部３２９に溜まった尿の温度を測定し、配線３４４を介して制御部３１０に測定結果を出力する。発光部３２２は、底部部材１２４の内部を明るく照射することで、採尿容器３２０を見やすくして尿を当てやすくすることができる。
【００５１】
なお、図１２に表したように、底部部材３２４に溜まった尿を吸引する吸尿部３２３をさらに設け、図示しない搬送管を通して尿糖測定部に尿を搬送して、使用者が排泄した尿の尿糖を測定できるようにしてもよい。この測定は、尿温測定部３００にさらに設けられた「尿糖」スイッチ３１９を使用者が押すことにより開始される。
【００５２】
図１１および図１２に表した尿温測定装置は、底部部材３２４と側壁部材３２６との間において採尿容器３２０の内部と外部とを連通するスリット３３１が、その採尿容器３２０の底部（下部）に形成される。スリット３３１は、採尿容器３２０の底部から上部部材３２７にかけて延在している。また、底部部材３２４と上部部材３２７との間において採尿容器３２０の内部と外部とを連通するスリットが、その採尿容器３２０の上部に形成される。このスリットは、上部部材３２７の周縁に略沿うように周状に延在している。
【００５３】
スリット３３１は、図５〜図８に表したスリット１３１と同様に、幅が狭い細隙形状を有している。スリット３３１の幅は、例えば約０．２〜０．３ミリメートル程度である。そのため、貯尿部３２９に貯留された尿はスリット３３１を通過し難い。また、尿には表面張力が作用するため、同様に尿はスリット３３１を通過し難い。すなわち、貯尿部３２９に貯留された尿は、スリット３３１が細隙形状を有することと、尿に表面張力が作用することと、によりスリット３３１から抵抗を受けて排出され難い。そのため、温度検出部３２１が尿に浸されるまでは、貯尿部３２９に貯留された尿はスリット３３１から採尿容器３２０の外部に排出されない。
【００５４】
一方、採尿容器３２０内部が尿で満たされ、スリット３３１において、尿の水圧による荷重が表面張力などの抵抗力よりも大きくなると、尿はスリット３３１を通って採尿容器３２０の底部から排出される。そして、貯尿部３２９に貯留された尿がスリット３３１を通って採尿容器３２０の底部から排出されると、尿の水位は下がり、排泄直後の新鮮な尿が供給される。そのため、採尿容器３２０内の温度検出部３２１の周囲では、古い尿が排泄直後の新鮮な尿に置換される。このように、採尿容器３２０の内部において尿が循環されることにより、貯尿部３２９に溜められた尿が冷めないようにすることが可能であり、精度良く尿温を測定することができる。
【００５５】
また、第１の実施の形態にかかる尿温測定装置と同様に、スリット３３１は採尿容器３２０の底部から上部部材３２７にかけて延在し、底部部材３２４と上部部材３２７との間におけるスリットは上部部材３２７の周縁に略沿うように周状に延在している。そのため、尿の表面張力により採尿口３２７ｃに設けられた網体３２８が目詰まり状態になっても採尿容器３２０の内部に空気を導入でき、貯尿部３２９に貯留された尿の排出が促進され、新しい尿の導入が促進されるため、採尿容器３２０の内部の尿の置換をより確実に行うことができる。
【００５６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、尿温測定装置などが備える各要素の形状、寸法、材質、配置などや尿温測定部の設置形態などは、例示したものに限定されるわけではなく適宜変更することができる。つまり、例えば、尿温測定部は、ライニング１２の内部に設けられていなくともよく、便座に座った使用者の「おしり」などに向けて水を噴射する図示しない衛生洗浄装置の内部に設けられてもよい。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００５７】
【図１】本発明の第１の実施の形態にかかる尿温測定装置が設置されたトイレ室を例示する模式図である。
【図２】本実施形態の採尿容器を斜め上方から眺めた斜視模式図である。
【図３】本実施形態の採尿容器を斜め下方から眺めた斜視模式図である。
【図４】本実施形態の採尿容器を分解して斜め上方から眺めた分解模式図である。
【図５】温度検出部が尿に浸された直後の採尿容器の内部を例示する断面模式図である。
【図６】図５に表した採尿容器のスリット近傍を拡大して表した拡大模式図である。
【図７】採尿容器の内部に尿が満たされた状態を例示する断面模式図である。
【図８】図７に表した採尿容器のスリット近傍を拡大して表した拡大模式図である。
【図９】本実施形態の変形例にかかる採尿容器を例示する模式図である。
【図１０】本変形例にかかる採尿容器の内部を例示する断面模式図である。
【図１１】本発明の第２の実施の形態にかかる尿温測定装置を例示する模式図である。
【図１２】本実施形態の変形例にかかる尿温測定装置を例示する模式図である。
【符号の説明】
【００５８】
１０ａ、１０ｂ 側壁、  １２ ライニング、  １４ 洋式腰掛便器、  １４ａ ボウル、  １６ 表示部、  １００ 尿温測定部、  １１０ 制御部、  １２０ 採尿容器、  １２１ 温度検出部、  １２２ 発光部、  １２３ 吸尿部、  １２４ 底部部材、  １２６ 側壁部材、  １２６ａ ヒンジ部、  １２６ｂ 突起部、  １２７ 上部部材、  １２７ａ ヒンジ部、  １２７ｂ 係合孔、  １２７ｃ 採尿口、  １２８ 網体、  １２９ 貯尿部、  １３１、１３３ スリット、  １４０ スイングアーム駆動部、  １４２ スイングアーム、  １４４ 配線、  １６０ 尿、  １７０ 採尿容器、  １７４ 底部部材、  １７４ｂ 突起部、  １８１ スリット、  ３００ 尿温測定部、  ３１０ 制御部、  ３１５ スピーカ、  ３１６ 表示部、  ３１７、３１８、３１９ スイッチ、  ３２０ 採尿容器、  ３２１ 温度検出部、  ３２２ 発光部、  ３２３ 吸尿部、  ３２４ 底部部材、  ３２６ 側壁部材、  ３２７ 上部部材、  ３２７ｃ 採尿口、  ３２８ 網体、  ３２９ 貯尿部、  ３３１ スリット、  ３４０ 把持部、  ３４４ 配線
【図１】
2010048704.tif 000003
【図２】
2010048704.tif 000004
【図３】
2010048704.tif 000005
【図４】
2010048704.tif 000006
【図５】
2010048704.tif 000007
【図６】
2010048704.tif 000008
【図７】
2010048704.tif 000009
【図８】
2010048704.tif 000010
【図９】
2010048704.tif 000011
【図１０】
2010048704.tif 000012
【図１１】
2010048704.tif 000013
【図１２】
2010048704.tif 000014